(57)【特許請求の範囲】
【請求項１】
親機として機能するセンタと光送受信機がネットワークに接続され、前記光送受信機との間で可視光通信を行う複数の子機を備えた可視光通信システムにおいて、
前記各子機とセンタには、通信データの入出力手段と、入力された通信データを送受信用のデータに変換し、あるいは送受信用データを入出力手段に対する出力データに変換するデータ変換手段とが設けられ、
前記子機及び光送受信機には、子機と光送受信機間の送受信用に変換されたデータのダウンリンクを可視光通信によって送受する可視光送信部と可視光受信部と、前記子機と光送受信機間の送受信用に変換されたデータのアップリンクを赤外光通信によって送受する赤外光送信部と赤外光受信部とが設けられ、
前記光送受信機及びセンタには、複数の子機に対する呼接続を制御するセッション管理処理部が設けられ、
前記各子機には、前記セッション管理処理部からの呼接続管理に対応して、自身の呼接続管理を行う呼接続管理部が設けられ、
前記セッション管理処理部において、光送受信機やセンタが受信したデータの中から、呼接続情報と通信データとを判別し、判別された呼接続情報に従って子機と光送受信機との呼接続の確立、光送受信機とセンタとの呼接続の確立を行うことを特徴とする可視光通信システム。
【請求項２】
前記子機及び光送受信機に、空間キャリア検出用の受光素子が設けられ、この受光素子によって空間キャリアが存在しないことが確認された場合に、通信データの送受信を行うことを特徴とする請求項１に記載の可視光通信システム。
【発明の詳細な説明】
【技術分野】
【０００１】
本発明は、ＬＥＤによる可視光通信システムに関するものであって、特に、空間伝送部分の信号処理としてセッション情報を付与したＬＡＮ方式を採用することにより、ＬＥＤ照明を搭載した光送受信機とセッション管理を行う親機として機能するセンタとの連係により、親機と複数の子機間の通信（特に通話）を可能としたものである。
【背景技術】
【０００２】
電波を使用した通話機器は、機械設備や医療機器へ電波による影響を与えるため、これらの装置や機器を誤動作させる問題がある。また、有線による通話機器は配線が必要なため、作業などで使用する場合足を引っ掛けるなど危険な場合がある。
【０００３】
このような観点から、可視光通信システムに関する提案が、たとえば特許文献１に示すように従来からなされている。この特許文献１の発明は、親機と子機間の通信をＬＥＤを使用した可視光あるいは赤外線を使用することにより、ＬＥＤ照明が照らす部分のみ通信ができ、前記のような電波を使用した通信機器の欠点を解消することができると共に、電波のように隣りの部屋に通話が漏れることがなく、セキュリティの高いシステムを構築できる利点がある。
【特許文献１】特開２００４−２２１７４７号公報
【発明の開示】
【発明が解決しようとする課題】
【０００４】
しかしながら、前記特許文献１の発明は、親機と子機との間で同一のデータを送受するものであるため、親機と複数の子機間でそれぞれ異なるデータを送受したり、あるいは子機間で通話を行うことはできなかった。すなわち、親機と子機間で、１対１及び１対多の通話形態を実現するためには、各通信機器間のセッション（呼接続、すなわち通信の開始から終了までの手順）を管理する必要があるが、前記特許文献１の発明では、そのような構成はなんら存在しなかった。
【０００５】
特に、可視光通信には、電波の使用を避ける病院などにおいて、各部屋を巡回する医師や看護師の持つ子機と、コールセンタなどに設置された親機との間で通信を行う様な用途が期待されている。その場合に、各部屋に置かれた光送受信機を利用して、各部屋をわたって移動する複数の子機とセンタ間の通話を、１対１もしくは１対多で行うことが希望されているが、特許文献１の発明ではそのような要望に応えることは不可能であった。
【０００６】
本発明は前記のような従来技術の問題点を解決するために提案されたものであって、その目的は、光送受信機とセッション管理を行う親機となるセンタとを連係させることにより、センタと各子機間で１対１及び／または１対多の通信を可能とした可視光通信システムを提供することにある。
【課題を解決するための手段】
【０００７】
前記の目的を達成するために、本発明は、ネットワークに接続された光送受信機と親機として機能するセンタと、前記光送受信機との間で可視光通信を行う複数の子機を備えた可視光通信システムにおいて、前記各子機とセンタには、通信データの入出力手段と、入力された通信データを送受信用のデータに変換しあるいは送受信用データを入出力手段に対する出力データに変換するデータ変換手段とが設けられ、前記子機及び光送受信機には、送受信用に変換されたデータを、子機と光送受信機間のアップリンクまたはダウンリンクの少なくとも一方について、可視光通信によって送受する可視光送信部と可視光受信部とが設けられ、前記光送受信機及びセンタには、複数の子機に対する呼接続を制御するセッション管理処理部が設けられ、前記各子機には、前記セッション管理処理部からの呼接続管理に対応して、自身の呼接続管理を行う呼接続管理部が設けられていることを特徴とする。
【０００８】
また、前記子機と光送受信機間のデータの授受のうち、ダウンリンクを可視光通信によって行い、アップリンクを赤外光通信にて行うことも本件発明の一態様である。更に、セッション管理処理部において、光送受信機やセンタが受信したデータの中から、呼接続情報と音声データとを判別して、呼接続情報に従って子機と光送受信機との呼接続の確立、光送受信機とセンタとの呼接続の確立を行うことも本件発明の一態様である。
【発明の効果】
【０００９】
本発明によれば、セッション管理により1対１及び１対多の制御が可能となり、複数の人間が同時に通話する通話形態を確立することができ、複数作業者間の連絡による作業効率が向上する。
【発明を実施するための最良の形態】
【００１０】
以下、本件発明の一実施の形態を図面に従って具体的に説明する。
【００１１】
（１）実施形態の構成
以下、本発明の第１実施形態の構成を図１及び図２に従って具体的に説明する。図１は、本実施形態のシステムの全体構成を示すものであって、本システムは、ヘッドセット１を備えた複数の子機２（第１の子機と第２の子機）と、この子機２との間でダウンリンクとしての可視光及びアップリンクとしての赤外光通信を行う光送受信機３と、この光送受信機３とネットワークＮを介して接続された親機となるセンタ４と、このセンタ４に備えられたヘッドセット５とから構成される。
【００１２】
なお、図１では、光送受信機３は、ネットワークに１台しか接続していないが、設置する部屋数などに応じてより多数の光送受信機をネットワークに接続することもが可能である。同様に、子機２の数も図示の台数に限定されるものではなく、より多数台の使用が可能である。
【００１３】
図２に示すとおり、前記子機２は、データの送信機能を実現するために、ヘッドセット１からのアナログの音声信号をデジタル信号に変換するＡ／Ｄ変換部２０１、変換されたデジタル信号からセッションＩＤを付与したＬＡＮデータを生成してパケット化する送信データ組立部２０２、パケット化されたＬＡＮデータをＬＥＤ２０４から発光する赤外光による通信にて光送受信機３に対してアップリンク送信する赤外送信部２０３を備えている。
【００１４】
この赤外送信部２０３には、呼接続管理部、キャリア確認部、変調及び送信部が設けられている。キャリア確認部は、子機に設けられた受光素子（以下、ＰＤ：フォトダイオードと言う）２０５の受信する赤外光により、他の子機２がデータ出力していないかを、通信空間上にキャリアとなる光がないことから検出する。呼接続管理部は、キャリア確認部により空間上に他の子機のキャリアがないことを確認した場合に、自身の通信を開始させるための指令を変調及び送信部に出力する。変調及び送信部は、前記ＬＡＮデータを変調して、赤外光を発光するＬＥＤ２０４を点滅させる。
【００１５】
また、子機２は、データの受信機能を実現するために、ダウンリンク用のＬＡＮデータが重畳された可視光を受光するＰＤ２０９、ＰＤ２０９で受信した光データを電気信号に変換する復調及び受信部と呼接続管理部を有する可視光受信部２０８、可視光受信部２０８から出力されたＬＡＮデータ（パケット）から音声となるデジタル信号を抽出する受信データ分解部２０７、前記デジタル信号を音声信号となるアナログ信号に変換してヘッドセット１に出力するＤ／Ａ変換部２０６を備えている。
【００１６】
光送受信機３は、受信機能を実現するために、子機２からのＬＡＮデータを重畳した赤外光を受光して電気信号に変換するＰＤ３０１、受信した赤外光を自身宛の信号か否かを判定すると共に自身宛の信号の場合にはそれを復調する赤外受信部３０２、赤外受信部３０２で受信した可視光通信用のパケットデータを、ネットワークを介してセンタ４と送受できるような形式のパケットデータに変換する受信パケット変換部３０３、変換されたネットワーク用のパケットデータをセッション管理処理部３１０の指示に従いネットワークに送信する受信転送処理部３０４を備えている。
【００１７】
また、光送受信機３は、送信機能を実現するために、センタ４からネットワークＮ上に送出されたパケットを受信すると共に受信した情報を前記セッション管理処理部３１０に出力する送信転送処理部３０９、前記セッション管理処理部３１０の指示に従い送信転送処理部３０９から出力されたセンタ４からのネットワーク用のパケットを、可視光通信用のパケットに変換する送信パケット変換部３０８、送信パケット変換部３０８からのパケットを可視光に変換して子機２へ送信するための可視光送信部３０７を備えている。
【００１８】
この可視光送信部３０７は、送受信部に設けられた可視光用のＰＤ３０６によって空間上に他の子機のキャリアとなる可視光が存在しないことを確認するキャリア確認部と、送信パケット変換部３０８からのＬＡＮデータを変調してＬＥＤ３０５を点滅させ、子機２へデータを送信する変調及び送信部とを備えている。
【００１９】
前記セッション管理処理部３１０は、呼接続管理を行うものであって、送信転送処理部３０９から受信したパケットが呼接続情報の場合には、送信転送処理３０９へ子機への接続許可及びセッション情報を送信する。一方、受信した情報が、送信元、宛先、送信データなどを含むＵＤＰパケット化された音声情報（前記受信転送処理部３０４から受信した情報）の場合には、前記受信転送処理部３０４及びネットワークＮを介してセンタ４にパケットを送信する。
【００２０】
前記センタ４は、通話用のヘッドセット５を備えていると共に、光送受信機３に対してネットワークＮを介して接続されている。そして、送信機能を実現するため、ベットセット５からの音声信号をデジタル信号に変換するＡ／Ｄ変換部４０１、デジタル信号をパケット化する送信データ組立部４０２、受信したデジタルデータを音声信号に変換するＤ／Ａ変換部４０３、受信パケットを分解してデジタル音声信号を抽出する受信データ分解部４０４、前記光送受信機２と同様にセッション管理を行うセッション管理処理部４０５を備えている。
【００２１】
また、前記送信データ組立部４０２によってパケット化されている音声信号に対して、送信先の子機向けのＩＤを付与するなどのＬＡＮデータプロトコル処理を行ってネットワーク通信用のパケットに変換するＬＡＮデータ処理部４０６を備えている。
【００２２】
（２）実施形態の作用
前記のような構成を有する本実施形態の作用について、図３以下のフローチャートに従って説明する。
【００２３】
（２−１）子機の送信処理
図３は、子機２の光送受信機３に対する送信処理を示すフローチャートである。
図３において、子機２がそのヘッドセット１からの音声を入力すると、音声信号はＡ／Ｄ変換部２０１によりデジタル信号に変換される（ステップ１）。次いで送信データ組立部２０２によりセッションＩＤが付与されパケット化されたＬＡＮデータが生成される（ステップ２）。
【００２４】
この状態で、赤外送信部２０３は、その呼接続管理部により、自身の子機が光送受信機３と呼接続中であるか否かを確認する（ステップ３）。呼接続中でない場合（ステップ３のＮｏ）には、赤外送信部２０３はその変調及び送信部からＬＥＤ２０４に対して、光送受信機３に向かっての呼接続要求を行わせるための指令を出力する（ステップ４）。
【００２５】
この呼接続要求は、ヘッドセット１から入力されてセッションＩＤを付与された音声データとは別に、赤外送信部２０３の呼接続管理部によって生成される信号であるが、変調及び送信部及びＬＥＤ２０４によって赤外光の点滅信号として子機２から出力される。この呼接続要求は、光送受信機３の赤外光用のＰＤ３０１によって受信され、赤外受信部３０２、受信パケット変換部３０３、受信転送処理部３０４を介してセッション管理処理部３１０に入力される。
【００２６】
セッション管理処理部３１０は、前記のように呼接続要求と音声データとを判別する機能を有するので、子機２からの呼接続要求を受信すると、例えばＳＩＰプロトコルに従い送信転送処理部３０９に対して呼接続要求を発信した子機に対する接続許可及びセッション情報を送信する。送信転送処理部３０９は、この接続許可及びセッション情報を送信パケット変換部３０８、可視光送信部３０７及び可視光用ＬＥＤ３０５を介して子機２に送信する。
【００２７】
この接続許可及びセッション情報を子機２が可視光用ＰＤ２０９及び可視光受信部２０８を介して受信すると、これらの情報は、可視光受信部２０８から赤外送信部２０３に送信され、呼接続が完了する（ステップ５）。
【００２８】
呼接続が完了しない場合には（ステップ６のＮｏ）、予め決められたリトライ回数呼接続要求を繰り返し（ステップ７のＮｏ）、所定のリトライ回数に達した場合には（ステップ７のＹｅｓ）、接続不能を示す接続ＮＧ表示を行った後（ステップ８）、処理を終了する。
【００２９】
一方、前記のように子機２が光送受信機３と呼接続中（ステップ３のＹｅｓ）の場合、または呼接続が完了した場合（ステップ６のＹｅｓ）には、子機２の送信データ組立部２０２は、Ａ／Ｄ変換部２０１からの音声データに基づいて作成したセクションＩＤを有するＬＡＮデータのパケットを生成して赤外送信部２０３に出力する（ステップ９）。
【００３０】
前記のように、各子機２には赤外光受信部であるＰＤ２０５が設けられているので、このＰＤ２０５により他の子機が赤外光を発光しているか否か、すなわち、他の子機の空間キャリアの有無を確認することができる。そこで、赤外送信部２０３は、そのキャリア確認部により他の子機の空間キャリアの有無を確認し、空間キャリアがない場合には（ステップ１０の無）、送信データ組立部２０２からのＬＡＮデータをＦＭ変調し（ステップ１１）、変調された電気信号に従って赤外光用ＬＥＤ２０４を点滅して、データ送信を行う（ステップ１２）。
【００３１】
一方、空間キャリアが確認された場合には（ステップ１０の有）、他の子機が通話中であるから、自身の送信を開始することなく、所定の間隔で空間キャリアの有無の確認を行い（ステップ１３のＹｅｓ）、リトライ回数が一定数に達した場合には、通話を終了する。この場合、呼接続の完了ができなかった場合と同様に、接続ＮＧ表示を行っても良い。
【００３２】
（２−２）子機の受信処理
図４は子機２の光送受信機３に対する受信処理を示すフローチャートである。
子機の受信処理の場合には、子機２に設けられた可視光用ＰＤ２０９が光送受信機３からの可視光データを受光すると、その可視光受信部２０８の復調及び受信部が可視光データをＦＭ復調し（ステップ１）、受信した可視光通信用のパケットを分析して（ステップ２）、そこに含まれているセッションＩＤに基づいて自身宛のデータか否かを判定する（ステップ３）。
【００３３】
可視光受信部２０８は、受信データが自身宛のデータである場合には（ステップ３のＹｅｓ）、そのデータが呼接続要求か、それとも音声データのパケット化したものかを判定し、呼接続要求の場合には（ステップ４のＹｅｓ）、その呼接続管理部により呼接続応答処理を行う（ステップ５）。なお、呼接続を確立するために子機２と送受信部３との間でデータの授受を行う場合には、可視光受信部２０８の呼接続管理部から赤外送信部２０３の呼接続管理部に対して、データ送信の依頼を行い、赤外送信部２０３から赤外光用ＬＥＤ２０４により光送受信機３に呼接続確立用の信号を送信する。
【００３４】
このようにして光送受信機３との間で呼接続が完了した場合（ステップ６のＹｅｓ）は、呼接続が確立された状態で処理を終了し、次の受信データの着信を待つ。そして、次の受信データが呼接続要求でない場合（ステップ４のＮｏ）は、可視光受信部２０８は、光送受信機３から続いて送信される音声データを含むパケットを受信して、受信データ分解部２０７に送出する。受信データ分解部２０７は、受信したパケットから音声信号を抽出し、これをＤ／Ａ変換部２０６によってアナログデータに変換して（ステップ８）、ヘッドセット１から音声として出力する。
【００３５】
なお、呼接続が完了しない場合（ステップ６のＮｏ）、呼接続応答処理を何度か繰り返す（ステップ７）のは、前記送信処理の場合と同様である。また、前記ステップ３において、自身宛のデータでない場合には、受信データを破棄して（ステップ９）、処理を終了する。
【００３６】
（２−３）光送受信機の送信処理
図５は、光送受信機３の子機２に対する送信処理を示すフローチャートである。
光送受信機３の送信処理は、親機であるセンタ４からの通話データを可視光通信により子機に送信する処理である。すなわち、光送受信機３の送信転送処理部３０９が、センタ４からネットワークＮを介してデータを受信すると（ステップ１）、送信転送処理部３０９はそのデータをセッション管理処理部３１０に出力する。
【００３７】
セッション管理処理部３１０は、センタ４から送信されたデータが呼接続情報であるか、パケット化された情報であるかを判定する。この場合、送信の開始時には、センタ４からは呼接続情報が発信されるので、セッション管理処理部３１０は、送信転送処理部３０９に対して、送信パケット変換部３０８により呼接続情報を抽出して、可視光通信用のパケットに変換する（ステップ２）。
【００３８】
次いで、光送受信機３は、既に子機２と接続中であるか否かを確認し、子機２と呼接続中でない場合（ステップ３のＮｏ）は、変換されたパケットである呼接続要求を可視光通信により子機２に送信して、呼接続を確立する（ステップ４〜８）。なお、この呼接続の確立は、図３に示した子機の送信時の処理（ステップ４〜８）と同様である。
【００３９】
光送受信機２が既に子機２と接続中の場合（ステップ３のＹｅｓ）、または呼接続情報に基づいて呼接続が確立された場合（ステップ６のＹｅｓ）には、セッション管理処理部３１０が、センタ４からネットワークＮを通って送信されてくるパケット化された音声情報を検出すると、送信転送処理部３０９にその音声情報を送信パケット変換部３０８に送信するように指令する。送信パケット変換部３０８は、センタ４と光送受信機３とのネットワーク通信用に生成されたパケットを、可視光通信用のパケットに変換して、可視光送信部３０７に出力する（ステップ９）。
【００４０】
光送受信機３には、可視光受信部であるＰＤ３０６が設けられているので、このＰＤ３０６により空間上にキャリアとなる可視光がないことを検出する。空間キャリアがない場合には（ステップ１０の無）、送信パケット変換部３０８からのＬＡＮデータ（パケット）をＦＭ変調し（ステップ１１）、変調された電気信号に従って可視光用の白色ＬＥＤ３０５を点滅して、データ送信を行う（ステップ１２）。
【００４１】
一方、空間キャリアが確認された場合には（ステップ１０の有）、送信を開始することなく、所定の間隔で空間キャリアの有無の確認を行い（ステップ１３のＹｅｓ）、リトライ回数が一定数に達した場合には、通話を終了する。この場合、呼接続の完了ができなかった場合と同様に、接続ＮＧ表示を行っても良い。
【００４２】
（２−４）光送受信機の受信処理
図６は、光送受信機３の子機２からの受信処理を示すフローチャートである。
光送受信機３は、そのＰＤ３０１が子機２からの赤外光データを受信すると、受信データは赤外光受信部３０２に送られてＦＭ復調された後（ステップ１）、受信パケット変換部３０３に送られ、セッション管理用のパケットデータ（ネットワーク送出用のパケット）に変換される（ステップ２）。変換されたパケットは、送受信処理部３０４を経てセッション管理処理部３１０に送られ、自身宛のデータであるか否かの判別が行われる。
【００４３】
セッション管理処理部３１０は、受信データが自身宛のデータである場合には（ステップ３のＹｅｓ）、そのデータが呼接続要求か、それとも音声データのパケット化したものかを判定し、呼接続要求の場合には（ステップ４のＹｅｓ）、その呼接続情報を送信転送処理部３０９及び送信パケット変換部３０８を介して可視光送信部３０７に送り、可視光送信部において変調及びＬＥＤ３０５の点滅を制御することで、呼接続応答処理を行う（ステップ５）。
【００４４】
このようにして子機２との間で呼接続が完了した場合（ステップ６のＹｅｓ）は、呼接続が確立された状態で処理を終了し、次の受信データの着信を待つ。そして、次の受信データが呼接続要求でない場合（ステップ４のＮｏ）は、受信転送処理部３０４は、子機２から続いて送信され、センタ４への送信用に変換されたパケットをネットワークＮを介してセンタ４に送信する（ステップ８）。なお、呼接続が完了しない場合（ステップ６のＮｏ）、呼接続応答処理を何度か繰り返す（ステップ７）のは、前記送信処理の場合と同様である。
【００４５】
（２−５）センタの受信処理
図７は、センタ４の光送受信機３に対する送信処理を示すフローチャートである。
図７において、センタ４が備えるヘットセット５からのアナログ音声信号が入力されると、この音声信号はＡ／Ｄ変換部４０１によりデジタル信号に変換され（ステップ１）、送信データ組立部４０２により、送信先の子機向けのセッションＩＤが付与されたパケットデータに変換される（ステップ２）。この場合、セッションＩＤの付与などは、センタ４に設けられたセッション管理処理部４０５によって行われる。
【００４６】
なお、本実施形態では、送信データ組立部４０２によって音声データをパケット化した後、ＬＡＮデータ処理部４０６によりネットワークＮに対応したパケットに変換しているが、これらの処理を１つの処理部によって実現することも可能である。また、受信データの分解部４０４とＬＡＮデータ処理部４０６についても同様である。
【００４７】
次いで、センタ４は、自身が光送受信機３と呼接続中であるか否かを判定し、呼接続中でない場合には（ステップ３のＮｏ）、セッション管理処理部４０５の指令によりネットワークＮを介して光送受信機３へ呼接続要求を送信する（ステップ４）。この呼接続要求に対して、例えば、ＳＰＩプロトコルなどを用いて光送受信機３から呼接続情報を取得し（ステップ５）、呼接続の確立が完了した場合には（ステップ６のＹｅｓ）、光送受信機３に対して、セッション情報と音声データが一体にパケット化されたデータをＬＡＮデータ処理部４０６を介して送信する（ステップ９）。
【００４８】
一方、呼接続が完了しない場合には、前記の呼接続要求の送信と光送受信機３からの呼接続情報の取得処理を、予め定めた繰り返し回数に達するまで繰り返し、接続が確立できない場合には（ステップ７のＮｏ）、接続ＮＧ表示を行って（ステップ８）、処理を終了する。
【００４９】
（２−６）センタの受信処理
図８は、センタ４の光送受信機３からの受信処理を示すフローチャートである。
図８において、センタ４がネットワークＮを介して光送受信機３からのデータを受信するとステップ１、セッション管理処理部４０５は、その受信データのセッションＩＤに基づいて、受信したデータが自身宛のデータであるか否かを判定する（ステップ２）。受信データが自身宛のものでない場合には（ステップ２のＮｏ）、受信データを破棄する（ステップ９）。受信データが自身宛のデータである場合には、セッション管理処理部４０５は、そのデータが呼接続要求か否かを判定する（ステップ３）。
【００５０】
呼接続要求である場合には（ステップ３のＹｅｓ）、前記送信処理の場合と同様に、光送受信機３との間で呼接続の確立を行い（ステップ４〜６）、受信データが呼接続要求ではない場合（ステップ３のＮｏ）には、ネットワークＮ用にパケット化されている受信データ中からデジタル化された音声信号を抽出し、それをＤ／Ａ変換して（ステップ７）、ヘッドセット５にアナログ音声信号として出力する。
【００５１】
（３）実施形態の効果
以上の通り、本実施形態によれば、光送受信機３とセンタ４との間をネットワークにより接続することで、光送受信機とセンタ４とが離れた場所にある様な状況下で、複数の子機とセンタ４である親機との間での通話が可能となる。特に、光送受信機３とセンタ４とにセッション管理処理部３１０，４０５を設けることで、光送受信機３と複数の子機間の通話をセンタ４で管理することが可能になり、センタ４と複数の子機間の１対１、１対複数の通話が可能になる。
【００５２】
また、セッション管理処理部を光送受信機３とセンタ４とで行うようにしたので、各子機では、自身のＩＤの管理や呼接続管理のみを行えば良く、子機の構造が単純化できる。また、子機は、音声データのパケット化やパケットデータからの音声データの抽出処理のみを行えば良く、ＬＡＮによって接続するセンタとの間のネットワークにかかる信号処理は、光送受信機側で負担するので、子機での情報処理が単純化され、処理速度が速く通話時に違和感がない。
【００５３】
本実施形態は、ダウンリンクを可視光通信とし、アップリンクを赤外光通信としたので、光の干渉がなく、送受信時の混信も少ない。また、ダウンリンクを可視光としたため、通信のできる範囲が肉眼で確認することができ、ダウンリンクを赤外光とした場合に比較して、子機の使用者が通信可能範囲を適切に認識できる。
【００５４】
（４）他の実施形態
本件発明は、前記の実施形態に限定されるものではなく、次のような他の実施形態も包含する。
【００５５】
(1) 各子機２に光送受信機３やセンタ４に設けたものと同様な、セッション管理処理部を設けることにより、センタ４を介することなく、複数の子機間の通話を可能としたもの。
(2) 光送受信機３とセンタ４とのネットワークとして、有線ＬＡＮ以外に、無線ＬＡＮや電力線通信によるＬＡＮを使用したもの。
【００５６】
(3) １つあるいは複数のセンタ４に対して、複数の光送受信機３をネットワークを介して接続することで、センタ４から離れた箇所にある複数の部屋など光送受信機３を設置し、各部屋ごとに設置された子機２や、あるいは複数の部屋を移動する子機２とセンタ４との間で通話を行うもの。
(4) 子機及びセンタにおいて、ヘッドセットの代わりに、電話型のマイクとスピーカなどの信号の入出力手段を設けたもの。
【００５８】
(5) 子機、光送受信機及びセンタに設けられた送信データ組立部、受信パケット変換部、送信パケット変換部、受信データ分解部などのデータ変換部として、光送受信機とセンタを接続するネットワークや、可視光通信及び赤外光通信に使用する通信プロトコルに応じた他の構成を採用したもの。
【図面の簡単な説明】
【００５９】
【図１】本発明の実施形態の構成を示すネットワーク図。
【図２】本発明における子機、光送受信機及びセンタの構成の一例を示すブロック図。
【図３】本発明における子機の送信処理の一例を示すフローチャート。
【図４】本発明における子機の受信処理の一例を示すフローチャート。
【図５】本発明における光送受信機の送信処理の一例を示すフローチャート。
【図６】本発明における光送受信機の受信処理の一例を示すフローチャート。
【図７】本発明におけるセンタの送信処理の一例を示すフローチャート。
【図８】本発明におけるセンタの受信処理の一例を示すフローチャート。
【符号の説明】
【００６０】
１…ヘッドセット
２…子機
３…光送受信機
４…センタ
５…ヘッドセット
２０１…Ａ／Ｄ変換部
２０２…送信データ組立部
２０３…赤外送信部
２０４…ＬＥＤ
２０５…ＰＤ
２０６…Ｄ／Ａ変換部
２０７…受信データ分解部
２０８…可視光受信部
２０９…ＰＤ
３０１…ＰＤ
３０２…赤外受信部
３０３…受信パケット変換部
３０４…受信転送処理部
３０５…ＬＥＤ
３０６…ＰＤ
３０７…可視光送信部
３０８…送信パケット変換部
３０９…送信転送処理部
４０１…Ａ／Ｄ変換部
４０２…送信データ組立部
４０３…Ｄ／Ａ変換部
４０４…受信データ分解部
４０５…セッション管理処理部
４０６…ＬＡＮデータ処理部
【図２】
0004516132.tif 000002
【図３】
0004516132.tif 000003
【図４】
0004516132.tif 000004
【図５】
0004516132.tif 000005
【図６】
0004516132.tif 000006
【図７】
0004516132.tif 000007
【図８】
0004516132.tif 000008
【図１】
0004516132.tif 000009